(57)【要約】【課題】  電線をその左右方向へ大きく振らせるような外力に対して電線の断線を効果的に防止する。【解決手段】コネクタ１に接続固定される電線２Ａ，２Ｂの一端２１に近い端末部２２を、直線よりも軌跡が長くなるコイル形状に成形し、ケブラー糸４の一端をコネクタ１の外壁に設けた取付孔１５に固定するとともに、ケブラー糸４の他端を、外壁から遠い側の端末部２２を越えた電線２Ａ，２Ｂを束ねる結束バンド３に固定する。ケブラー糸４の一端および他端の固定は縛りによって行う。【選択図】        図１
2007005116.tif 000002
【特許請求の範囲】
【請求項１】
機器に接続固定される電線の一端に近い端末部を、直線よりも軌跡が長くなる形状に成形し、糸部材の一端を前記機器の外壁に固定するとともに、前記糸部材の他端を前記外壁から遠い側の、前記端末部を越えた前記電線の外周に固定したことを特徴とする電線の端末構造。
【請求項２】
前記糸部材の一端および他端の固定を縛りによって行った請求項１に記載の電線の端末構造。
【発明の詳細な説明】
【技術分野】
【０００１】
本発明は電線の端末構造に関し、特に、コネクタ等の機器に接続される電線の断線を防止するための端末構造に関する。
【背景技術】
【０００２】
この種の端末構造として、例えば特許文献１には、コネクタにリアホルダを設けて、当該リアホルダで電線を上下方向に折り曲げた状態で挟むことにより、電線端子の抜けと断線を防止したものが示されている。  
【特許文献１】特開２０００−１０６２４３
【発明の開示】
【発明が解決しようとする課題】
【０００３】
しかし、上記従来の構造では、電線をその長手方向へ引っ張るような外力に対しては比較的有効であるものの、電線をその左右方向へ大きく振らせるような外力に対しては、リアホルダで挟んだ部分にせん断力が作用するため断線を有効に防止することができないという問題があった。
【０００４】
そこで、本発明はこのような課題を解決するもので、電線をその左右方向へ大きく振らせるような外力が入力しても電線の断線を効果的に防止できる電線の端末構造を提供することを目的とする。
【課題を解決するための手段】
【０００５】
上記目的を達成するために、本発明では、機器（１）に接続固定される電線（２Ａ，２Ｂ）の一端（２１）に近い端末部（２２）を、直線よりも軌跡が長くなる形状に成形し、糸部材（４）の一端を機器（１）の外壁に固定するとともに、糸部材（４）の他端を、外壁から遠い側の端末部（２２）を越えた電線（２Ａ，２Ｂ）の外周に固定する。この場合、糸部材（４）の一端および他端の固定を縛りによって行うと、固定を簡易に行うことができる。
【０００６】
本発明において、電線をその左右方向へ大きく振らせるような外力に対し、糸部材は外力に応じて自在に左右に振れつつ十分な耐久力を発揮してその長さを維持する。これにより、電線が過大に引っ張られることが防止される。そして、この際、電線にある程度の引っ張り力や左右への振れ力が生じても、これらは、直線よりも軌跡が長くなる形状に成形された端末部が延伸あるいは湾曲することによって吸収される。これにより、電線に過大な引っ張り力やせん断力が作用しないから、断線が効果的に防止される。
【０００７】
なお、上記カッコ内の符号は、後述する実施形態に記載の具体的手段との対応関係を示すものである。
【発明の効果】
【０００８】
以上のように、本発明の電線の端末構造によれば、電線をその左右方向へ大きく振らせるような外力に対しても電線の断線を効果的に防止することができる。
【発明を実施するための最良の形態】
【０００９】
図１には本発明の電線の端末構造の一例を示す。図１において、機器としてのコネクタ１にはその後端部に二本の電線２Ａ,２Ｂの各一端２１が入力接続されている。各電線２Ａ，２Ｂは一端２１に近い端末部２２が螺旋のコイル状に成形されており、これにより、各電線２Ａ，２Ｂはその長手方向への引っ張り外力に加えて、左右方向へ電線２Ａ，２Ｂを振らせる外力が加わっても、これに応じて端末部２２が延伸しあるいは湾曲することによって、外力が吸収されるようになっている。両電線２Ａ，２Ｂは端末部２２を越えてコネクタ１とは反対側で結束バンド３によって結束されている。そして、コネクタ１の外壁後端部両側面の上下位置と上記結束バンド３との間にケブラー（米国デュポン株式会社登録商標）糸４が張られている。
【００１０】
このような端末構造を実現するには、図２に示すように、各電線２Ａ，２Ｂの一端２１にかしめ固定された端子２３を、コネクタ１のアウタハウジング１１の後端面に形成した筒状挿通部１３，１４の挿通孔１３１，１４１から当該ハウジング１１内へ通して、インナハウジング１２の接続口（図示略）内へ挿入固定する。アウタハウジング１１の後端両側面には、上端位置と、これより下方の挿通部１４周面とに取付孔１５が貫通形成されている。電線２Ａ，２Ｂの一端２１をコネクタ１内に接続固定した状態で（図１参照）、端末部２２を越えてコネクタ１とは反対側位置で両電線２Ａ，２Ｂを結束バンドで結束する。そして、上記各取付孔１５と結束バンド３の適当位置とをケブラー糸４で結ぶ。ケブラー糸４の両端の、取付孔１５ないし結束バンド３への固定は、ケブラー糸４の端部を取付孔１５、ないし結束バンド３のリング状開口内に通して縛った後、当該縛り部に接着剤を塗布することにより行なう。ケブラー糸４の縛り方は例えば「ふた結び」によることができ、これを図３で取付孔１５への結合の場合を例に説明すると、取付孔１５に通したケブラー糸４の折り返し部４１をケブラー糸４の一般部４２周りに２回巻きした後（図３（１））、ケブラー糸４の先端を引いて締め上げる（図３（２））。
【００１１】
このような端末構造によれば、電線長手方向の引っ張り外力に対して、コネクタ１外壁の取付孔１５と結束バンド３を結ぶケブラー糸４が十分な耐久力を発揮してその長さを維持して、電線２Ａ，２Ｂが過大に引っ張られることを防止する。また、電線２Ａ，２Ｂをその左右方向へ大きく振らせるような外力に対しても、ケブラー糸４は外力に応じて自在に左右に振れつつ十分な耐久力を発揮してその長さを維持し、この場合も電線２Ａ，２Ｂが過大に引っ張られることが防止される。この際、電線２Ａ，２Ｂにある程度の引っ張り力や左右への振れ力が生じても、これは既述のように、端末部２２が延伸し、あるいは湾曲することによって吸収される。このようにして、電線２Ａ，２Ｂに過大な引っ張り力やせん断力が作用しないから、その断線が効果的に防止される。
【００１２】
上記実施形態において、端末部２２はコイル状に成形するのが最適であるが、必ずしもこれに限られるものではなく、直線よりも軌跡が長くなって長さに余裕を生じる形状に成形すればよい。また、ケブラー糸４に代えて他の耐久性に富んだ糸部材を使用することができる。ケブラー糸４の固定は、必ずしも縛ることによる必要はないが、縛るのが簡易な固定方法として優れている。また、電線２Ａ，２Ｂを束ねるのを結束バンド３以外のもので行っても良いことはもちろんである。ケブラー糸４の本数は１本以上の適宜数とし、電線が一本の場合も結束バンド３を使用することができるが、これに限られるものではない。
【図面の簡単な説明】
【００１３】
【図１】端末構造の一例を示す斜視図である。
【図２】端末構造の分解斜視図である。
【図３】ケブラー糸の縛り方を示す斜視図である。
【符号の説明】
【００１４】
１…コネクタ、２Ａ，２Ｂ…電線、２１…一端、２２…端末部、３…結束バンド、４…ケブラー糸。
【図１】
2007005116.tif 000003
【図２】
2007005116.tif 000004
【図３】
2007005116.tif 000005